(57)【要約】【課題】配線作業を含めた取り付けを容易に行うことができるスピーカ取り付け構造を提供する。【解決手段】スピーカ取付構造体１０は、フランジ２３の前面にスピーカユニット側電極２４、基板３０上に基板側電極３２がそれぞれ形成されている。これにより、スピーカユニット２０を基板３０の上に搭載すると、スピーカユニット側電極２４と基板側電極３２とが電気的に接続されるので、取り付け作業を容易に行うことができる。【選択図】  図１
2006197297.tif 000002
【特許請求の範囲】
【請求項１】
スピーカと、このスピーカを収容し前面にフランジ部を有するフレームとを有するスピーカユニットと、
このスピーカユニットを搭載する基板と、
前記スピーカユニットを前記基板に固定する固定部材と
を有するスピーカの取り付け構造であって、
前記スピーカユニットは、前記フランジ部に形成され前記スピーカの入力端子と電気的に接続されたスピーカユニット側電極を有し、
前記基板は、その表面に形成された基板側電極を有し、
前記スピーカユニット側電極と前記基板側電極とは、前記スピーカユニットが前記基板に固定された状態で互いに電気的に接続される
ことを特徴とするスピーカの取り付け構造。
【請求項２】
前記スピーカユニット側電極の正極および負極は、互いに絶縁されてそれぞれ前記フランジ部の前記基板と対向する面上に形成され、
前記基板側電極の正極および負極は、それぞれ前記基板の前記スピーカユニットが取り付けられる一の面上に形成される
ことを特徴とする請求項１記載のスピーカの取り付け構造。
【請求項３】
前記スピーカユニット側電極の正極および負極は、互いに絶縁されてそれぞれ前記フランジ部の異なる面上に形成され、
前記基板側電極の正極および負極は、一方が前記基板のスピーカユニットが取り付けられる一の面上に、他方が前記基板の他の面上に形成され、
前記スピーカユニットが前記基板に固定された状態において、互いに対向する面上に形成された電極同士は互いに当接し、それぞれ他の面上に形成された電極同士は前記フランジ部と前記基板とを貫く孔を通じて電気的に接続される
ことを特徴とする請求項１記載のスピーカの取り付け構造。
【請求項４】
前記スピーカユニット側電極の正極および負極は、互いに絶縁されて、一方が前記フランジ部の前記基板と対向する面上に、他方が前記フレームの背面に形成され、
前記固定部材は、前記基板に取り付けられた状態で前記フレームの背面に当接し、かつ、前記基板と協働してスピーカユニットを狭持し、
前記フレームの背面に形成された前記スピーカユニット側電極は、前記固定部材を介して前記基板側電極に電気的に接続される
ことを特徴とする請求項１記載のスピーカの取り付け構造。
【発明の詳細な説明】
【技術分野】
【０００１】
本発明は、スピーカの取り付け構造に関する。
【背景技術】
【０００２】
従来より、筐体等へのスピーカの取り付けは、ビスなどにより筐体の所定の位置にスピーカユニットを取り付けた後、スピーカユニットに収容されたスピーカの入力端子にケーブルを接続することにより行われている（例えば、特許文献１参照。）。
【０００３】
一方、近年では、複数のスピーカユニットを配列したスピーカアレイが提案されている。このスピーカアレイにおいては、各スピーカに位相とレベルの異なる信号を供給することにより、指向性を持たせることが可能となる。このようなスピーカアレイにおいても、従来のスピーカと同様、筐体にスピーカユニットを固定した後、各スピーカと各スピーカに信号を供給する回路とをケーブルで接続しなければならない。
【０００４】
なお、出願人は、本明細書に記載した先行技術文献情報で特定される先行技術文献以外には、本発明に関連する先行技術文献を出願時までに発見するには至らなかった。
【特許文献１】特開平７−２２２２８２
【特許文献２】特開平７−２０３５８７
【発明の開示】
【発明が解決しようとする課題】
【０００５】
しかしながら、従来のスピーカの取り付け構造においては、スピーカの入力端子にケーブルを半田付けなどによって接続していたため、配線作業が面倒な上に、接続不良や経年変化による不具合の原因となっていた。また、一つ一つのスピーカユニットに対してケーブルを接続しなければならないため、スピーカアレイのように、スピーカユニットの数が増えるにつれて、配線作業も煩雑となる。そこで、本願発明は上述したような課題を解決するためになされたものであり、配線作業を含めた取り付けを容易に行うことができるスピーカ取り付け構造を提供することを目的とする。
【課題を解決するための手段】
【０００６】
上述したような課題を解決するために本発明にかかるスピーカ取り付け構造は、スピーカと、このスピーカを収容し前面にフランジ部を有するフレームとを有するスピーカユニットと、このスピーカユニットを搭載する基板と、スピーカユニットを基板に固定する固定部材とを有するスピーカの取り付け構造であって、スピーカユニットは、フランジ部に形成されスピーカの入力端子と電気的に接続されたスピーカユニット側電極を有し、基板は、その表面に形成された基板側電極を有し、スピーカユニット側電極と基板側電極とは、スピーカユニットが基板に固定された状態で互いに電気的に接続される。
【０００７】
上記スピーカ取り付け構造において、スピーカユニット側電極の正極および負極は、互いに絶縁されてそれぞれフランジ部の基板と対向する面上に形成され、基板側電極の正極および負極は、それぞれ基板のスピーカユニットが取り付けられる一の面上に形成されるようにしてもよい。
【０００８】
また、他のスピーカ取り付け構造は、スピーカユニット側電極の正極および負極は、互いに絶縁されてそれぞれフランジ部の異なる面上に形成され、基板側電極の正極および負極は、一方が基板のスピーカユニットが取り付けられる一の面上に、他方が基板の他の面上に形成され、スピーカユニットが基板に固定された状態において、互いに対向する面上に形成された電極同士は互いに当接し、それぞれ他の面上に形成された電極同士はフランジ部と基板とを貫く孔を通じて電気的に接続されるようにしてもよい。
【０００９】
また、他のスピーカ取り付け構造は、スピーカユニット側電極の正極および負極は、互いに絶縁されて、一方がフランジ部の基板と対向する面上に、他方がフレームの背面に形成され、固定部材は、基板に取り付けられた状態でフレームの背面に当接し、かつ、基板と協働してスピーカユニットを狭持し、フレームの背面に形成されたスピーカユニット側電極は、固定部材を介して基板側電極に電気的に接続されるようにしてもよい。
【発明の効果】
【００１０】
本発明によれば、スピーカユニットを基板に取り付けるだけで、スピーカユニット側電極と基板側電極とが電気的に接続されるため、スピーカにケーブルを接続する必要がなく、配線作業を容易に行うことができる。
【発明を実施するための最良の形態】
【００１１】
［第１の実施の形態］
以下、図面を参照して本発明にかかる第１の実施の形態について説明する。図１は、本実施の形態にかかるスピーカの取り付け構造を模式的に表す図である。図１において、スピーカ取付構造体１０は、スピーカユニット２０と、このスピーカユニット２０を保持する基板３０とを有する。なお、図１において、スピーカユニット２０は、基板３０に当接する面が紙面に対して上方になるように記載している。
【００１２】
スピーカユニット２０は、スピーカ本体２１と、このスピーカ本体２１を収容し、前面にフランジ２３が形成された略円錐台形状のフレーム２２とから構成されている。このフランジ２３の基板３０と対向する面上には、互いに絶縁された正極２４ａと負極２４ｂの２つのスピーカユニット側電極２４が形成されている。
【００１３】
スピーカ本体２１は、図示しないが、フレーム２２内に収容された磁石およびボイルコイル、スピーカコーンならびにボイスコイルに接続された入力端子２６ａ、２６ｂ等から構成されており、入力端子を介してボイスコイル等に外部から信号電流を供給することにより、スピーカを振動させ、電気音響変換を行う。ここで、スピーカ本体２１のボイスコイルの両端は、入力端子２６ａ，２６ｂを介して、フランジ２３上に形成されたスピーカユニット側電極２４の正極２４ａおよび負極２４ｂにそれぞれ接続されている。
【００１４】
フレーム２２は、略円錐台の形状を有し、その前面にスピーカ本体２１から出力される音を放出するための平面視略円形のスピーカ開口２２ａと、平面視略矩形のフランジ２３を有している。このフランジ２３の四隅近傍には、スピーカユニット側取付孔２５がフランジ２３の肉厚方向に形成されている。
【００１５】
スピーカユニット側電極２４は、フランジ２３が絶縁材料より形成されている場合は、その表面に互いに離間して形成することができる。仮に、フランジ２３が金属等の導電性を有する材料から形成されている場合は、その表面に絶縁層を形成したうえで電極２４を形成すればよい。
【００１６】
基板３０は、基板３０の肉厚方向に形成された平面視略円形の開口３１を有する。その一方の面上の開口３１の周囲には、平面視略矩形の外形を有する基板側電極３２と、基板側取付孔３３とが形成されている。
開口３１は、基板３０の肉厚方向に形成された貫通孔からなり、スピーカユニット２０のフレーム２２に形成されたスピーカ開口２２ａに対応する形状を有する。
このような基板３０は、例えば、スピーカユニット２０を収容する筐体の一部とすることもできるが、筐体とは別に用意していもよい。
【００１７】
基板側電極３２は、基板３０の上面に所定間隔離間して形成された基板側正極３２ａと、基板側負極３２ｂとからなる。この基板側正極３２ａおよび基板側負極３２ｂの平面形状は、それぞれスピーカユニット２０のフランジ２３に形成されたスピーカ側電極２４の正極２４ａおよび負極２４ｂの平面形状に対応する。このような基板側正極３２ａと基板側負極３２ｂは、それぞれの端部に形成された配線３４ａ，３４ｂに接続されている。このような基板３０は、例えば、プリント基板により構成することができ、その場合には、基板側電極３２と配線３４ａ，３４ｂとを一体形成するようにすればよい。
【００１８】
基板側取付孔３３は、基板３０の肉厚方向に形成された平面視略円形の貫通孔からなり、スピーカユニット２０のフランジ２３に形成されたスピーカユニット側取付孔２５と対応する位置に形成される。
【００１９】
以上のような各構成要素からスピーカ取付構造体１０は、次のように組み立てられる。まず、スピーカユニット２０のフランジ２３のスピーカユニット側電極２４が形成された面と、基板３０の基板側電極３２が形成された面とが対向するように、基板３０上にスピーカユニット２０を搭載する。
【００２０】
このときスピーカユニット２０のスピーカユニット側電極２４と基板３０の基板側電極３２とは、互いに対応する位置と形状で形成されているので、スピーカユニット側電極２４の正極２４ａおよび負極２４ｂと基板側電極３２の基板側正極３２ａおよび基板側負極３２ｂとがそれぞれ当接する。これにより、スピーカユニット２０のスピーカユニット側電極２４と基板３０の基板側電極３２とが電気的に接続される。
【００２１】
また、フランジ２３のスピーカユニット側取付孔２５と基板３０の基板側取付孔３３とが、一連の貫通孔を形成するので、この貫通孔に、フランジ２３側からボルト１１を挿入し、このボルト１１を基板３０側に配設された図示しないナットと螺合させることにより、スピーカユニット２０を基板３０に固定する。これにより、スピーカ取付構造体１０が組み立てられる。
なお、ナットを用いる代わりに、基板３０の基板側取付孔３３の内面に溝を形成し、この溝にボルト１１を螺入するように構成してよい。
【００２２】
以上のように、図１に示すスピーカ取付構造体１０においては、フランジ２３の前面にスピーカユニット側電極２４を、基板３０上に基板側電極３２をそれぞれ形成することにより、スピーカユニット２０を基板３０の上に搭載することによってスピーカユニット側電極２４と基板側電極３２とが電気的に接続されるので、取り付け作業を容易に行うことができる。
【００２３】
図２は、スピーカアレイ用の基板３０の一例を示す平面図である。図２に示すように、スピーカアレイの場合、基板３０は、マトリクス状に配設された複数の開口３１が形成され、これらの開口３１の近傍に基板側電極３２および基板側取付孔３３がそれぞれ形成される。さらに、基板３０上には、基板側電極３２のそれぞれに接続された配線３４ａ，３４ｂが形成されている。これにより、スピーカアレイを組み立てる場合であっても、スピーカユニット２０を基板３０に固定するとともにスピーカユニット側電極２４と基板側電極３２とが電気的に接続されるので、取り付け作業を容易に行うことができる。
【００２４】
なお、図２に示すように、基板３０上にスピーカアレイの駆動回路３６を設け、この駆動回路と各基板側電極３２とをあらかじめ形成された配線３４ａ，３４ｂによって接続するようにしてもよい。このように基板３０側にあらかじめ基板側電極３２および配線３４ａ，３４ｂを形成しておくことにより、スピーカユニット２０および駆動回路３６を基板３０に固定するだけでスピーカアレイを構成する複数のスピーカ本体２１と駆動回路３６とを接続することができる。この駆動回路３６は、例えば１ in n outの信号処理回路やn outのコネクタなどであってもよい。ここで、ｎはスピーカユニットの数量を表している。
【００２５】
また、本実施の形態において、スピーカユニット側電極２４および基板側電極３２の形状は、図１に示すような形状に限定されず、正極２４ａと基板側正極３２ａおよび負極２４ｂと基板側負極３２ｂがそれぞれ接触可能な形状であるならば、適宜自由に設定することができる。
【００２６】
［第２の実施の形態］
次に、図３を参照して、本発明にかかる第２の実施の形態について説明する。図３は、本実施の形態にかかるスピーカの取付構造を模式的に表す断面図である。なお、本実施の形態において、上述した第１の実施の形態と同等の構成要素には同じ名称を付し、適宜説明を省略する。
【００２７】
図３に示すスピーカ取付構造体４０は、スピーカユニット５０と、このスピーカユニット５０を保持する基板６０とを有する。
【００２８】
スピーカユニット５０は、磁石５８およびボイスコイル５９を有するスピーカ本体５１と、このスピーカ本体５１を収容しフランジ５３が形成された略円錐台の形状のフレーム５２とを有する。
【００２９】
フランジ５３には、フレーム５２のスピーカ開口５２ａの周囲にスピーカユニット側電極５４が形成されるとともに、複数のスピーカユニット側取付孔５５が肉厚方向に形成されている。
【００３０】
本実施の形態においては、スピーカユニット側電極５４のうち正極５４ａは、フランジ５３の背面に形成され、負極５４ｂは、フランジ５３の前面に形成されている。ここで、スピーカユニット側取付孔５５の少なくとも１つは負極５４ｂを貫いている。
【００３１】
一方、基板６０は、その肉厚方向に形成された開口６１と、開口６１の周囲に形成された複数の基板側取付孔６３とを有する。
【００３２】
開口６１は、その周面がスピーカユニットのフレーム５２の周面に対応する形状を有する。
【００３３】
また、基板側電極６２を構成する基板側正極６２ａおよび基板側負極６２ｂが、それぞれ基板６０の異なる面上に形成されている。本実施の形態においては、基板６０の上面に基板側正極６２ａと、下面に基板側負極６２ｂとがそれぞれ形成されている。ここで、この基板側負極６２ｂは、少なくとも１つの基板側取付孔６３によって貫かれている。
【００３４】
このようなスピーカ取付構造体４０の組み立て方法は、次のようなものである。まず、スピーカユニット５０を、基板６０に搭載する。具体的には、スピーカユニット５０をその背面から基板６０の開口６１に挿入する。このとき、電極が形成されていない部分には、フランジ５３と基板６０との間にスペーサ４３を介在させ、スピーカユニット側電極（（正極）５４および基板側電極（正極）６２の厚みと均衡させることが望ましい。
【００３５】
次に、スピーカユニット５０と基板６０の位置を調整し、スピーカユニット５０のスピーカユニット側取付孔５５と基板６０の基板側取付孔６３とが、一連の貫通孔を形成するようにする。また、スピーカユニット５０のフランジ５３の背面に形成された正極５４ａと、基板６０の上面に形成された基板側正極６２ａとを当接させる。これにより、スピーカユニット５０の正極５４ａと、基板６０の基板側正極６２ａとが電気的に接続される。
【００３６】
次に、フランジ５３のスピーカユニット側取付孔５５と基板６０の基板側取付孔６３により構成される貫通孔に導体からなるボルト４１をスピーカユニット５０側から挿入し、基板６０側に配設された導体からなるナット４２と螺合させる。これにより、スピーカユニット５０が基板６０に固定され、スピーカ取付構造体４０が組み立てられる。また、少なくとも一本の導電性を有するボルト４１の頭部がスピーカユニット５０の前面に形成された負極５４ｂと接触し、そのボルト４１と螺合する導電性を有するナット４２が基板６０の下面に形成された基板側負極６２ｂと接触する。これにより、スピーカユニット５０の負極５４ｂと基板６０の基板側負極６２ｂとが、ボルト４１およびナット４２を介して電気的に接続される。
【００３７】
図３に示すスピーカ取付構造体４０によれば、フランジ５３の背面および前面にそれぞれ正極５４ａおよび負極５４ｂを、基板６０の上面および下面に基板側正極６２ａおよび基板側負極６２ｂをそれぞれ形成することにより、スピーカユニット５０と基板６０とを導体からなるボルト４１およびナット４２により固定すると、正極５４ａと基板側正極６２ａとが当接して電気的に接続され、かつ、ボルト４１およびナット４２を介して負極５４ｂと基板側負極６２ｂとが電気的に接続される。このように、スピーカユニット５０を基板６０に固定するとともにスピーカユニット５０と基板６０とが電気的に接続されるため、別途配線作業を行う必要がなく、スピーカの取り付け作業が容易になる。
【００３８】
なお、本実施の形態では、フランジ５３の背面側に正極５４ａ、フランジ５３の前面側に負極５４ｂを設けるようにしたが、フランジ５３の前面側に正極５４ａ、フランジ５３の背面側に負極５４ｂを設けるようにしてもよい。
また、本実施の形態においては、スピーカユニット５０をその背面より基板６０に形成された開口６１に挿入したが、これを第１の実施の形態と同様に、その前面を基板６０に対向させるようにしてもよい。
【００３９】
［第３の実施の形態］
次に、図４を参照して、本発明にかかる第３の実施の形態について説明する。図４は、本実施の形態にかかるスピーカ取付構造体７０の構成を示す模式図である。なお、本実施の形態において、上述した第１、２の実施の形態と同様の構成要素には同じ名称を付し、適宜説明を省略する。
【００４０】
図４に示すスピーカ取付構造体７０は、スピーカユニット８０と、このスピーカユニット８０の前面側に配設される平面視略矩形の基板９０と、スピーカユニット８０の背面側に配設され基板９０ともにスピーカユニット８０を狭持する固定部材１００とを有する。
【００４１】
スピーカユニット８０は、図示しない磁石、スピーカコーンおよびボイスコイル並びにこのボイスコイルに接続された入力端子８６ａ，８６ｂを有するスピーカ本体８１と、このスピーカ本体８１を収容しその前面にフランジ８３が形成された略円錐台の形状のフレーム８２を有する。
【００４２】
本実施の形態においては、フランジ８３の前面とフレーム８２の背面とに、それぞれスピーカユニット側電極８４の正極８４ａと負極８４ｂとが形成される。これらの正極８４ａおよび負極８４ｂは、それぞれスピーカ本体の入力端子８６ａ，８６ｂに接続されている。
【００４３】
基板９０には開口９１が形成され、その周囲のスピーカユニット８０のフランジ８３と対応する位置には基板正極９３ａが形成されている。また、基板９０の基板正極９３ａから離間した位置には、基板側取付孔９２が設けられる。この基板側取付孔９２は、基板９０の肉厚方向に形成された貫通孔である。なお、図４において、基板側取付孔９２は、基板９０の四隅に設けられているが、基板側取付孔９２を設ける位置は基板側正極９３ａから絶縁した位置であるならば図４に示す位置に限定されず、適宜自由に設定することができる。また、基板側取付孔９２の数量も図４に示すようにスピーカ１つにつき４つに限定されない。
【００４４】
また、基板側正極９３ａとともに基板側電極９３を構成する基板側負極９３ｂは、基板９０の同一面上において基板側正極９３ａと離間して形成されている。ここで、この基板側負極９３ｂは、少なくとも１つの基板側取付孔９２によって貫かれている。
【００４５】
固定部材１００は、弾性を有する平面視略矩形の導体板からなる。本実施の形態においては、固定部材１００は、図４に示しように複数箇所のおいて屈曲し、中央部に平面視略矩形の底部１００ａと両端部に略平行に配設された平面視略矩形の取付部１００ｂ、１００ｃとが形成されている。また、固定部材１００の四隅、すなわち取付部１００ｂ、１００ｃの両端には固定部材側取付孔１０１が形成されている。
【００４６】
このようなスピーカ取付構造体７０の組み立て方法は、次のようなものである。まず、基板９０上にスピーカユニット８０を載置する。このとき、基板９０の基板側正極９３ａとスピーカユニット８０のフランジ部８０とを当接させ、かつ、スピーカ開口８２ａと開口９１とにより一連の開口が形成されるように、スピーカユニット８０を基板９０上に載置する。
【００４７】
次に、基板９０に固定部材１００をスピーカユニット８０の背面より取り付ける。具体的には、まず、固定部材１００の凹形状側の面を基板９０のスピーカユニット８０が載置された面に対向させ、底部１００ａをスピーカユニット８０の背面に形成されたスピーカユニット側負極８４ｂに当接させる。この状態で固定部材１００の位置を調節し、基板９０の基板側取付孔９２と固定部材１００の固定部材側取付孔１０１とが、一連の貫通孔を形成するようにする。この貫通孔にボルト７１を基板９０側から挿入し、固定部材１００側に配設された図示しないナットと螺合させ、基板９０と固定部材１００の取付部１００ｂ、１００ｃとを当接させる。すると、固定部材１００が弾性変形し、底部１００ａによりスピーカユニット８０の背面を基板９０側に押圧する。これにより、スピーカユニット８０は、基板９０と固定部材１００とにより狭持された状態で、基板９０と固定部材１００との間に固定される。
【００４８】
このとき、正極８４ａが形成されたフランジ８３の前面と、基板９０の基板側正極９３ａとが接触している。これにより、スピーカユニット８０の正極８４ａと基板９０の基板側正極９３ａとが電気的に接続される。また、固定部１００の取付部１００ｂは、基板９０の基板側負極９３ｂと接触しており、かつ、固定部材１００の底部１００ａは、スピーカユニット８０の負極８４ｂが形成された背面に接触している。これにより、基板９０の基板側負極９３ｂとスピーカユニット８０の負極８４ｂとが、固定部材１００を介して電気的に接続される。
【００４９】
図４に示すスピーカ取付構造体７０によれば、スピーカユニット８０のフランジ８３の前面とフレーム８２の背面にそれぞれ正極８４ａおよび負極８４ｂを、基板９０の開口９１の周囲とこの開口から離れた位置にそれぞれ基板側正極９３ａと基板側負極９３ｂとをそれぞれ形成することにより、スピーカユニット８０を基板９０と導体からなる固定部材１００とで狭持すると、正極８４ａと基板側正極９３ａとが当接して電気的に接続され、かつ、固定部材１００を介して負極８４ｂと基板側負極９３ｂとが電気的に接続される。このように、スピーカユニット８０を基板９０に固定すると共にスピーカユニット８０と基板９０とが電気的に接続されるため、別途配線作業を行う必要がなく、スピーカの取り付け作業が容易になる。
【００５０】
なお、本実施の形態では、基板側負極９３ｂを基板９０の下面に設けるようにしたが、基板９０の上面に設けるように構成してもよい。このようにしても、基板側負極９３ｂと導体からなるボルト７１の頭部とが当接するため、ボルト７１および固定部材１００を介した基板側負極９３ｂと負極８４ｂとの電気的な接続が行われる。
【００５１】
また、本実施の形態では、ボルト７１を図示しないナットと螺合させるようにしたが、ナットを用いる代わりに、固定部材１００の固定部材側取付孔１０１の内面に溝を形成し、この溝にボルト７１を螺入するように構成してもよい。
【００５２】
また、第２、３の実施の形態において、図２に示す基板３０の場合と同様、基板６０，９０に複数の基板側電極、開口、基板側取付孔等をマトリクス状に形成するようにしてもよい。これにより、スピーカアレイを組み立てる場合であっても、スピーカユニットを基板に固定するとともにスピーカユニット側電極と基板側電極とが電気的に接続されるので、取り付け作業を容易に行うことができる。
【図面の簡単な説明】
【００５３】
【図１】本発明にかかるスピーカの取付構造を表す図である。
【図２】スピーカアレイ用いる基板の一例を示す平面図である。
【図３】本発明にかかる他のスピーカの取付構造を表す断面図である。
【図４】本発明にかかる他のスピーカの取付構造を表す模式図である。
【符号の説明】
【００５４】
１０…スピーカ取付構造体、１１…ボルト、２０…スピーカユニット、２１…スピーカ本体、２２…フレーム、２２ａ…スピーカ開口、２３…フランジ、２４…スピーカユニット側電極、２４ａ…正極、２４ｂ…負極、２５…スピーカユニット側取付孔、２６ａ，２６ｂ…入力端子、３０…基板、３１…開口、３２…基板側電極、３２ａ…基板側正極、３２ｂ…基板側負極、３３…基板側取付孔、３４ａ，３４ｂ…配線、３６…駆動回路、４０…スピーカ取付構造体、４１…ボルト、４２…ナット、４３…スペーサ、５０…スピーカユニット、５１…スピーカ本体、５２…フレーム、５２ａ…スピーカ開口、５３…フランジ、５４…スピーカユニット側電極、５４ａ…正極、５４ｂ…負極、５５…スピーカユニット側取付孔、５８…磁石、５９…ボイスコイル、６０…基板、６１…開口、６２…基板側電極、６２ａ…基板側正極、６２ｂ…基板側負極、６３…基板側取付孔、７０…スピーカ取付構造体、７１…ボルト、８０…スピーカユニット、８１…スピーカ本体、８２…フレーム、８２ａ…スピーカ開口、８３…フランジ、８４…スピーカユニット側電極、８４ａ…正極、８４ｂ…負極、８６ａ，８６ｂ…入力端子、９０…基板、９１…開口、９２…基板側取付孔、９３…基板側電極、９３ａ…基板側正極、９３ｂ…基板側負極、１００…固定部材、１００ａ…底部、１００ｂ，１００ｃ…取付部、１０１…固定部材側取付孔。
【図１】
2006197297.tif 000003
【図２】
2006197297.tif 000004
【図３】
2006197297.tif 000005
【図４】
2006197297.tif 000006